(57)【特許請求の範囲】
【請求項１】
球通路から供給される球を受ける３個の球受部が外周の周方向に等間隔で形成されたスプロケット部を有する球送出体の回転によって、前記球受部で受けた球を振分けて払出球通路に払出す球払出装置を備え、
前記球送出体は、前記スプロケット部の外径が球の直径にほぼ等しく形成されて前記球通路と前記払出球通路との間に形成される球振分け室に設けられると共に、該球送出体の回転によって前記球受部が前記スプロケット部の最上部に達したときに前記球通路から球を受けて次の球受部が前記最上部に達するまでに前記払出球通路に放出する一方、
前記球振分け室は、当該球振分け室を構成する通路側壁と前記スプロケット部の外周までの距離が球の直径よりも大きくなるように形成されていることを特徴とする遊技機。
【発明の詳細な説明】
【０００１】
【発明の属する技術分野】
この発明は、球を振分けて払出す球払出装置を備えたパチンコ機、アレンジボール等の遊技機に関する。
【０００２】
【従来の技術】
遊技機には、例えば、賞球数に対応する球（賞球という）の払出しと、貸球数に対応する球（貸球という）の払出しを行う球払出装置を備えたパチンコ機がある。前記球払出装置には、球を受ける複数（例えば、各列６個で２列の計１２個）の球受部を外周部に有するスプロケット状の球送出体を有し、その球送出体の正逆回転によって、前記球受部に球を受け、その球を賞球又は貸球に振分けて払出すものが知られている。なお、賞球又は貸球に振分けられた球が別々に通る各通路には、通過する球を検出する検出手段がそれぞれ配置されている。その各検出手段により球が検出されることにより、球払出装置から払出される球が賞球かあるいは貸球かが認識される。
【０００３】
【発明が解決しようとする課題】
ところで、上記したような球払出装置において、球送出体の各球受部がスプロケット部の最上部の位置（以下、この位置を「上死点」という。）において通路から球を受けてスプロケット部の最下部の位置（以下、この位置を「下死点」という。）近くで放出する構成を採ることが考えられる。しかしながら、上記の構成を採ると、球送出体が例えば各列６個で２列の計１２個の球受部を有する場合、上死点において球受部に受けた球は、球送出体の回転によって次の２〜３個の球受部が上死点に達するまで放出されない。このため、球送出体の回転を停止したときは、停止前の回転方向前方の２〜３個の球受部に球が残ったままになる。この球受部に残った球（これを残り球という）は、球送出体の外周部に凹凸状の輪郭を形成する。
【０００４】
一方、次以降に球送出体に供給されるために待機している球（これを待機球という）は、球送出体の上方に延びる球通路に列状をなして待機している。このため、最下端の待機球はそれ相当の球圧を受けている。
【０００５】
このため、球受部に球が残ったまま、前記球送出体が逆転されると、残り球による凹凸状の輪郭における凹所に対し、球通路の最下端の待機球が嵌まり込み、球送出体の回転が阻まれるという問題があった。したがって、従来では、球送出体の球受部が上死点において球を受ける形態の球払出装置を実現することは困難であった。
【０００６】
この発明の目的は、球送出体の球受部が略上死点において球を受ける形態でありながら球送出体を回転させて球を払出すことのできる球払出装置を備えた遊技機を提供することにある。
【０００７】
【課題を解決するための手段】
前記目的を達成するために、第１の発明に係る遊技機は、特許請求の範囲の請求項１に記載のとおりの構成を要旨とする。このように構成すると、球払出装置は、球送出体の正逆回転又は一方向回転によって、スプロケット部の球受部に受けた球を振分けて払出す。しかして、球受部は、スプロケット部の最上部の位置において球を受けるとともにその球を球送出体の回転によって次の球受部が前記最上部の位置に達するまでに放出する。したがって、球送出体の最上部の位置における球受部以外の球受部に残される残り球がなく、その残り球の存在により球送出体の回転が阻まれることがなくなる。このため、球送出体の球受部が略上死点において球を受ける形態でありながら球送出体を回転させて球を払出すことができる。
【０００８】
【発明の実施の形態】
［実施の形態１］
この発明の実施の形態１を図面にしたがって説明する。実施の形態１は、遊技機の一つであるパチンコ機に本発明を適用したものである。図１にパチンコ機の背面図が示されている。図１において、パチンコ機１の外枠１０の前側（図１において紙面裏側）には、前枠１１がヒンジ手段（図示しない）を介して開閉可能に装着されている。なお、図示しないが、前枠１１には、周知のとおり、ガラス扉、前板、上皿及び下皿、ハンドル装置等が配設されている。
【０００９】
前記前枠１１の後側（図１において紙面表側）には、基枠１２が組付けられている。基枠１２には、遊技盤（図示しない）が着脱可能に組込まれている。遊技盤の周囲は、基枠１２に対し機構板１３（裏セット板、裏機構板等とも呼ばれる）によって押付けられている。また、遊技盤の後側には、球誘導樋（図示しない）が組付けられ、さらにその球誘導樋を覆う裏カバー体１４が開閉可能に組付けられている。裏カバー体１４の後側には、メイン制御基板ボックス１８が装着されている。メイン制御基板ボックス１８内には、メイン制御基板（図２３中の符号、１００参照）が収納されている。
【００１０】
前記機構板１３は、前記裏カバー体１４を取り囲む枠状に形成されている。機構板１３は、前記基枠１２に対して開閉可能に装着されており、止め具１５によって閉止されている。機構板１３を開いた状態では、前記基枠１２に対し遊技盤（図示しない）を着脱することができる。また、機構板１３を閉じることにより、前記遊技盤が前記基枠１２に押付けられる。なお図示しないが、遊技盤の遊技領域には、周知のとおり、一般入賞口、特定入賞口、ゲート口等を有する役物装置や図柄表示装置等が配設されている。
【００１１】
前記機構板１３の上部には、球タンク１６及びタンクレール１７が装着されている。球タンク１６内には、球（パチンコ球ともいう。符号、Ｂを付す）が貯留されている。タンクレール１７は、傾斜状に設けられている。タンクレール１７の上流側の端部（図１において左端部）は、球タンク１６に接続されている。また、タンクレール１７の下流側の端部（図１において右端部）は、球払出装置２０（後述する）に接続されている。タンクレール１７は、球タンク１６から流下する球Ｂを前後２列に整列させながら球払出装置２０へ流下させる。なお、前記機構板１３の下部には、音制御基板及びランプ制御基板（図示しない）等を収納したサブ基板ボックス１９が装着されている。
【００１２】
前記機構板１３の片側部（図１において右側部）には、球払出装置２０がビス等（図示しない）によって装着されている。図２に球払出装置２０の背面図、図３に図２のＩＩＩ−ＩＩＩ線断面図、図７に図３のＶＩＩ−ＶＩＩ線断面図が示されている。なお図２は、図３に示されるカバー２０Ａ及び球払出用モータ８６（後述する）を排除した球払出装置２０の背面図となっている。
【００１３】
球払出装置２０は、図３に示されるケース２１、球送出体７０、球払出用モータ８６、通路切換部材９０、及び、図２に示される各種検出器８１，８２，８３，８８等を備えている。以下に順に詳述する。図３に示すように、ケース２１は、ほぼ半割状をなす前側のケース半体２２と後側のケース半体３２とを結合することによってほぼ縦長四角形の箱状に形成されている。両ケース半体２２，３２は、例えばねじ手段（図示しない）によって結合されている。また、後側のケース半体３２の後側（図３において左側）には、その背面を覆うカバー２０Ａが着脱可能に取付けられている。両ケース半体２２，３２及びカバー２０Ａは、例えば樹脂成形によってそれぞれ形成されている。
【００１４】
前記前側のケース半体２２と前記後側のケース半体３２との上半部の相互間には、中仕切板３１が挟み付けられている。中仕切板３１により、両ケース半体２２，３２の上半部内が前後２列（図３において右左２列）に分割されている。なお中仕切板３１は、例えばステンレス板材等の金属板で形成されており、その一部が球払出装置２０の外部に電気的に接続されて球通路内を流下する球に帯電した静電気をアースする機能も発揮する。
【００１５】
図７に示すように、前記両ケース半体２２，３２内には、上から下に向けて球Ｂが流下する球通路を構成する上部球通路４０、球振分け室４５、賞球用通路５０、貸球用通路５３、合流通路５７、払出用通路６０、分岐通路６２、球抜通路６８が形成されている。上部球通路４０は、図３に示すように、前記中仕切板３１を間に前後２列として形成されている。また、上から下に向けて球Ｂが流下する球通路を構成する各通路４０，４５，５０，５３，５７，６０，６２，６８は、球Ｂを余裕をもって流下させることのできる通路断面積を有している。
【００１６】
また図７に示すように、球振分け室４５の下端部は、賞球用通路５０及び貸球用通路５３と連通している。また、賞球用通路５０及び貸球用通路５３の下端部には、合流通路５７が連通している。また、合流通路５７の下端部には、払出用通路６０及び球抜通路６８が連通している。また、払出用通路６０の下端部には、分岐通路６２が連通している。
【００１７】
図７において、前記両ケース半体２２，３２の内側には、前記上部球通路４０の一対をなす通路側壁４１と、前記球振分け室４５の一対をなす通路側壁４６と、前記賞球用通路５０及び前記貸球用通路５３の外側壁を形成する一対をなす通路側壁５１，５４と、その通路側壁５１，５４の相互間において賞球用通路５０及び貸球用通路５３を区画する区画壁５５と、前記合流通路５７の一対をなす通路側壁５８と、前記払出用通路６０の一対をなす通路側壁６１、前記分岐通路６２の通路側壁６２ａがそれぞれ形成されている。また、球抜通路６８の一対をなす通路側壁として、払出用通路６０の一方（図７において右側）の通路側壁６１、及び、両ケース半体２２，３２の外周部を囲う囲い壁２３，３３の一部が兼用されている。また、分岐通路６２の通路側壁６２ａとして、両ケース半体２２，３２の囲い壁２３，３３の一部が兼用されている。なお、前側のケース半体２２の囲い壁２３はそのケース半体２２の要部内面図を示した図１３に部分的に示され、また、後側のケース半体３２の囲い壁３３はそのケース半体３２の要部内面図を示した図１５に部分的に示されている。
【００１８】
図２及び図３に示すように、前記後側のケース半体３２の後側下部には、枠制御基板８４が装着されている。枠制御基板８４は、前記メイン制御基板ボックス１８（図１参照）内のメイン制御基板１００（図２３参照）に対し電気的に接続されている。また、枠制御基板８４は、前記カバー２０Ａ（図３参照）で覆われている。枠制御基板８４の集合出力端子８４ａは、カバー２０Ａに設けられた孔２０ａより露出されている（図３参照）。
【００１９】
図３に示される前後２列の前記上部球通路４０は、図７に示すように、ほぼＳ字状に屈曲されている。各上部球通路４０の上流側の各端口４０ａは、前記タンクレール１７（図１参照）の各列の下流側の端口に対し連通されている（図７における二点鎖線１７参照）。これによって、タンクレール１７から流下してくる球Ｂが上部球通路４０へ流入する。
【００２０】
図６に図２のＶＩ−ＶＩ線断面図を示すように、前記上部球通路４０の一対をなす通路側壁４１のうち、上流側の端口４０ａ（図７参照）の近くにおいて下側に位置する通路側壁４１は、各ケース半体２２，３２に形成された支持壁２４，３４を介して上部球通路４０の前後方向（図６において左右方向）の中央付近のみに配置されている。これにより、下側の通路側壁４１に上部球通路４０の内外を連通する開口部２５，３５が形成されている。このため、上流側から上部球通路４０に流下してくる球Ｂとともに落ちてくるゴミを、前記開口部２５，３５を通じてケース外へ容易に排出することができる（図６中、矢印参照）。
【００２１】
図７に示すように、前記ケース２１の上端部には、球切れ検出器８３が配設されている。球切れ検出器８３は、前記タンクレール１７（図１参照）から各上部球通路４０への球Ｂの供給が途切れること（いわゆる球切れ）を検出し、その信号を前記メイン制御基板１００（図２３参照）又は枠制御基板８４（図３及び図２３参照）に出力する。これに基づいて、メイン制御基板１００又は枠制御基板８４は、パチンコ機１（図１参照）の所定位置に設置されている球切れ報知用ランプ（図示しない）を点灯させて、貸球、賞球いずれの払出しもすぐ停止する。これにより、球切れ時において、上部球通路４０の球切れ検出器８３の近辺に最後尾の球（最終球ともいう）がきた状態で、球送出体７０の回転動作が停止される。
【００２２】
図７に示すように、両ケース半体２２，３２には、前記上部球通路４０の下流側の端口（上部球供給口ともいう）４０ｂを形成する両通路側壁４１の下端部を取り囲む上部開口孔２６，３６が形成されている。また、その両通路側壁４１の各下端部はそれぞれ第１の撓み片４２として、その横幅（図３において左右方向の幅）の小さい突片状に形成され、弾性変形いわゆる撓み変形可能になっている。なお、図７の要部拡大図を示した図８には、両通路側壁４１の各第１の撓み片４２の弾性変形状態が二点鎖線４２で示されている。また、両通路側壁４１の各第１の撓み片４２は、前側のケース半体２２の要部内面図を示した図１３、図１３のＸＩＶ−ＸＩＶ線断面図を示した図１４、後側のケース半体３２の要部内面図を示した図１５、図１５のＸＶＩ−ＸＶＩ線断面図を示した図１６によく示されている。
【００２３】
図１３及び図１５に示すように、両第１の撓み片４２の下端部の外側面には先細りのテーパ状をなす斜面４２ａが形成されている。これにより、両第１の撓み片４２の下流側端部には、球通路（上部球通路４０）側において下流方向へ突出する突出部（符号、４１Ａを付す）が断面先鋭状に形成されている。なお上部球供給口４０ｂは、球振分け室４５の下部球供給口（後述する）４５ａに対してほぼ同心状に隣接している。
【００２４】
図２のＶ−Ｖ線断面図を示した図５に示すように、前記球振分け室４５の中央部には、球送出体７０が配設されている。この球送出体７０は、遊技盤（図示しない）の各種入賞口に球Ｂが入ったときの賞球数に対応する数の球Ｂを払出す機能と、パチンコ機１（図１参照）に設置された貸球機（図示しない）から出力される貸球数に対応する数の球Ｂを払出す機能とを備える。球送出体７０は、前記前側のケース半体２２に対しピン８５を介してほぼ水平な軸回りに回転可能に支持されている。なおピン８５は、前側のケース半体２２に設けられた軸受部２８によって支持されている。
【００２５】
図５において、前記球送出体７０の後端部（図５において上端部）には、球払出用モータ８６の出力軸８６ａがトルク伝達可能に嵌合されている。球払出用モータ８６には、正逆回転可能なモータ、例えばステッピングモータが用いられている。球払出用モータ８６は、前記後側のケース半体３２の後側（図３において左側）に組付けられ、前記カバー２０Ａによって覆われている（図３参照）。また球払出用モータ８６は、前記メイン制御基板１００（図２３参照）又は枠制御基板８４（図３及び図２３参照）から出力される払出信号に基づいて回転制御されるとともに、貸球機（図示しない）から出力される払出信号に基づいて回転制御される。
【００２６】
図１７に球送出体７０の斜視図、図１８に同じく正面図、図１９に同じく側断面図、図２０に同じく背面図が示されている。図１７及び図１９に示すように、球送出体７０は、例えば樹脂成形によって形成されており、軸部７０Ａの前半部に前後（図１９において右左）に並ぶ前側のスプロケット部７１及び後側のスプロケット部７５を有している。前側のスプロケット部７１の外周部には、複数個（例えば、３個）のほぼ凹形状の球受部７２が所定の間隔（例えば、３個の場合は１２０°の間隔）で形成されている（図１８参照）。また、後側のスプロケット部７５の外周部には、複数個（例えば、３個）のほぼ凹形状の球受部７６が所定の間隔（例えば、３個の場合は１２０°の間隔）で形成されている（図２０参照）。しかして、前側のスプロケット部７１の各球受部７２と後側のスプロケット部７５の各球受部７６との位相は、相互に半ピッチ（例えば、３個の場合、６０°）分ずれている（図１８及び図２０参照）。さらに、図８に示すように、各スプロケット部７１，７５は、前記球Ｂの外径とほぼ等しい外径、具体的には図８に示すように１，２倍程度の外径で形成されている。また、各スプロケット部７１，７５の外周面の周方向に関する各球受部７２，７６の開口幅が、球Ｂの外径よりも小さく、具体的には図８に示すように球Ｂの外径の３／５程度に成されている。さらに、各スプロケット部７１，７５の外周面の周方向に関する各球受部７２，７６の相互間の間隔が、球Ｂの半径よりも小さく、具体的には図８に示すように球Ｂの半径の６／７程度に形成されている。
【００２７】
前記球送出体７０の軸部７０Ａの前端部には、ピン孔７０ａが形成されている（図１８及び図１９参照）。また、球送出体７０の軸部７０Ａの後端部には、軸孔７０ｂが形成されている（図１９及び図２０参照）。そして、図５に示すように、球送出体７０のピン孔７０ａには前記ピン８５が同心状に嵌合され、また軸孔７０ｂには前記球払出用モータ８６の出力軸８６ａが同心状に嵌合されている。
【００２８】
図５において、前記球送出体７０と球払出用モータ８６の出力軸８６ａとの嵌合に先立って、その出力軸８６ａには位置検出部材８７がトルク伝達可能に嵌合されている。また図２に示すように、位置検出部材８７の外周部には、スリット孔からなる被検出部８７ａとほぼフランジ状の遮光部８７ｂとが周方向に交互に形成されている。すなわち、被検出部８７ａは、位置検出部材８７の周方向に隣合う遮光部８７ｂの相互間において、前記球送出体７０（図１７参照）の各球受部７２，７６に対応する数でかつその各球受部７２，７６に対応する位置（本実施の形態の場合、６箇所）に形成されている。なお、「各球受部７２，７６に対応する位置」とは、ある球受部７２，７６が上死点に位置した際に払出数検出器８８によって検知される被検出部８７ａの位置をいう。払出数検出器８８は、図２及び図５に示すように、前記後側のケース半体３２の後側（図５において上側）に配設されている。払出数検出器８８は、例えばフォトセンサからなり、前記位置検出部材８７の各被検出部８７ａを光学的に検出する。
【００２９】
前記払出数検出器８８と位置検出部材８７の被検出部８７ａとの関係について、図２１及び図２２を参照して説明する。例えば、いま、図２１に示すように、球送出体７０が停止状態にあるとすると、球送出体７０の６つの球受部７２，７６の１つである後側のスプロケット部７５の上死点に位置する球受部７６（説明の都合上、符号（Ａ）を付記する）に対応する被検出部８７ａ（説明の都合上、符号（Ａ）を付記する）は、球送出体７０の上死点位置より右に９０°ずらして配置された払出数検出器８８に合わせ、球受部７６（Ａ）より右に９０°ずらした位置に形成されている。
【００３０】
そして、球送出体７０が図２１において例えば反時計方向（図中、矢印Ｙ２参照）に回転して、次の球受部すなわち図２１において上死点にあった球受部７６（Ａ）の右隣に位置する前側のスプロケット部７１の球受部７２（説明の都合上、符号（ｂ）を付記する）が、図２２に示すように上死点位置に到達する。このとき、位置検出部材８７の遮光部８７ｂ（説明の都合上、符号（ａ）を付記する）によって、払出数検出器８８の検出光が一端遮光された後、払出数検出器８８に次に到達した被検出部８７ａ（説明の都合上、符号（ｂ）を付記する）が払出数検出器８８によって検出され、ひいては球受部７２（ｂ）が上死点に到達したことが検出される。
【００３１】
さらに、球送出体７０が図２２において反時計方向（図中、矢印Ｙ２参照）に回転して、次の球受部すなわち図２２において上死点にあった球受部７２（ｂ）の右隣に位置する後側のスプロケット部７１の球受部７６（説明の都合上、符号（ｃ）を付記する）が上死点位置に到達する。このとき、位置検出部材８７の遮光部８７ｂ（説明の都合上、符号（ｂ）を付記する）によって、払出数検出器８８の検出光が一端遮光された後、払出数検出器８８に次に到達した被検出部８７ａ（説明の都合上、符号（ｃ）を付記する）が払出数検出器８８によって検出され、ひいては球受部７６（ｃ）が上死点に到達したことが検出される。
【００３２】
なお、被検出部８７ａ（Ａ）、８７ａ（ｂ）、８７ａ（ｃ）以外の他の被検出部８７ａも上記と同様に、それぞれ球送出体７０の各球受部７２，７６に対応した位置にそれぞれ形成されている。このため、各球受部７２，７６が上死点位置に到達したときに当該被検出部８７ａがそれぞれ払出数検出器８８で検出されて、その被検出部８７ａに対応する球受部７２，７６が上死点位置にきたことが検出される。また、各被検出部８７ａは図２１において反時計方向（図中、矢印Ｙ２参照）の回転のみならず時計方向（図中、矢印Ｙ１参照）の回転においても、上記と同様、払出数検出器８８で検出されて、各球受部７２，７６が上死点位置に到達したことが検出される。
【００３３】
前記払出数検出器８８（図５及び図２１参照）によって位置検出部材８７の各被検出部８７ａを検出した信号（言い換えれば、球Ｂの払出数に応じた信号）は、前記メイン制御基板１００（図２３参照）や枠制御基板８４（図３及び図２３参照）に出力される。すなわち、賞球数あるいは貸球数に対応する信号に基づいて、球払出用モータ８６（図３及び図５参照）が駆動されるにともない球送出体７０が所定方向に回転されると、前記前後２列の上部球通路４０（図３参照）から球振分け室４５の上流側の端口（下部球供給口ともいう）４５ａに流下した球Ｂが、球送出体７０の前後の両スプロケット部７１，７５の各球受部７２，７６（図８参照）に上死点において１個ずつ受けられたのち、賞球用通路５０又は貸球用通路５３に振分けて払出される。そして、払出数検出器８８（図５参照）によって検出された位置検出部材８７の被検出部８７ａの個数が球Ｂの払出個数と対応したときは、球払出用モータ８６が停止されひいては球送出体７０の回転が停止される。
【００３４】
しかして、前記球送出体７０の各球受部７２，７６（図１７参照）は、上死点において受けた球Ｂを球送出体７０の回転によって次の球受部７２又は７６が上死点に達するまでに放出するように形成されている。すなわち、図１８及び図２０に示すように、各球受部７２，７６の回転方向の前方又は後方の壁面は、球送出体７０の回転によって次の球受部７２又は７６が上死点に達するまでに球Ｂを放出可能な斜面を形成する傾斜壁面７２ａ，７６ａとなっている。さらに、傾斜壁面７２ａ，７６ａは、各球受部７２，７６の半径方向外方に向かって下る斜面を形成する。
【００３５】
また、前記球送出体７０の回転によって、各球受部７２，７６の球Ｂが前記賞球用通路５０又は前記貸球用通路５３（図８参照）に振分けて払出されるときは、球Ｂが前後２列で払出されるが、その放出された球Ｂは、図３に示すように、１列の賞球用通路５０又は貸球用通路５３にて合流する。このため、図４に図２のＩＶ−ＩＶ線断面図を示すように、両ケース半体２２，３２の前後の壁部（符号、２２ａ，３２ａを付す）が、球振分け室４５から賞球用通路５０（及び貸球用通路５３）に掛けてほぼテーパ状に屈曲されている。
【００３６】
図８に示すように、前記球振分け室４５の両通路側壁４６の上流側の端部には、下部球供給口４５ａを形成する両通路側壁４７が下方に延出されている。下部球供給口４５ａは、前記中仕切板３１の下端縁中央部に突出する仕切片３１ａによって前後に区画されている。
【００３７】
図８において、両ケース半体２２，３２には、球振分け室４５の両通路側壁４７を含む両通路側壁４６の上半部を取り囲む下部開口孔２７，３７が形成されている。また、各通路側壁４６の通路側壁４７を含む上半部は、それぞれ第２の撓み片４８として、その横幅（図３において左右方向の幅）の小さい突片状に形成されており、弾性変形いわゆる撓み変形可能に形成されている。なお図８には、両側壁の各第２の撓み片４８の弾性変形状態が二点鎖線４８で示されている。また、各第２の撓み片４８は、図１３〜図１６によく示されている。
【００３８】
図１３及び図１５に示すように、両通路側壁４７の下端部の外側面には先細りのテーパ状をなす斜面４７ａが形成されている。これにより、両第２の撓み片４８の下流側端部に、球通路（下部球供給口４５ａ）側において下流方向へ突出する突出部（符号、４７Ａを付す）が断面先鋭状に形成されている。
【００３９】
図８に示すように、前記賞球用通路５０には、その通路に払出された球Ｂを検出する賞球用検出器８１が配設されている（図４参照）。賞球用検出器８１による球Ｂの検出信号は、前記メイン制御基板１００（図２３参照）と枠制御基板８４（図３及び図２３参照）に出力される。また、前記貸球用通路５３には、その通路に払出された球Ｂを検出する貸球用検出器８２が前記賞球用検出器８１と同様にして配設されている。貸球用検出器８２による球Ｂの検出信号は、球貸機２５０（図２３参照）と枠制御基板８４（図３及び図２３参照）に出力される。なお、球貸機２５０は、パチンコ機１の前側（図１において紙面裏側）の所定位置に配設されている。また、前記賞球用検出器８１及び前記貸球用検出器８２はそれぞれ近接スイッチ等よりなる。
【００４０】
そして、賞球数あるいは貸球数に対応する数の球Ｂに対し、前記賞球用検出器８１あるいは前記貸球用検出器８２において検出される検出個数が不足する場合には、その不足に相当する信号が球払出用モータ８６に出力されることによって、球送出体７０が不足数に対応する分だけ所定方向に回転され、所要の数の球Ｂが不足なく払出される。
【００４１】
図８に示すように、前記賞球用通路５０と前記貸球用通路５３とは、その下流の合流通路５７において合流している。その合流通路５７における下流部には、通路切換部材９０が配設されている。通路切換部材９０は、前記合流通路５７を流下してきた球Ｂを払出用通路６０又は球抜通路６８に選択的に誘導する機能を備えるもので、前記前側のケース半体２２と前記後側のケース半体３２との間に架設されたピン９１を介してほぼ水平な軸回りに回転可能に支持されている。なお、前記ピン９１は、両ケース半体２２，３２に設けられた各ピン受け部２９，３９によって支持されている（図３参照）。
【００４２】
図３に示すように、前記通路切換部材９０の後端部（図３において左端部）には、切換ソレノイド９２の作動軸９２ａが係合されている。切換ソレノイド９２は、前記後側のケース半体３２の後側（図３において左側）に組付けられ、前記カバー２０Ａによって覆われている。また、切換ソレノイド９２は、球抜用スイッチ（図示しない）のオンオフに基づいて、通路切換部材９０を二位置に位置変更させる。すなわち、図８に実線９０で示すように、切換ソレノイド９２のオフによって通路切換部材９０が払出用通路６０を開いて球抜通路６８を閉じたときには、前記合流通路５７の球Ｂが払出用通路６０に流れる。また、図８に二点鎖線９０で示すように、切換ソレノイド９２のオンによって通路切換部材９０が払出用通路６０を閉じて球抜通路６８を開いたときには、前記合流通路５７の球Ｂが球抜通路６８に流れる。
【００４３】
図７に示すように、払出用通路６０の下流側に連通する分岐通路６２の中央部には、上部案内壁６３が形成されている。また図３に示すように、前側のケース半体２２には、払出用通路６０を流下して上部案内壁６３上に載る球Ｂを上皿（図示しない）へ排出する上部球出口３０Ａが設けられている。上部案内壁６３の上面６３ａは、上部球出口３０Ａに向かって下方に傾斜する斜面に形成されている。
【００４４】
また図７に示すように、分岐通路６２の下端中央部には、下部案内壁６４が形成されている。また図３に示すように、前側のケース半体２２には、上部案内壁６３からこぼれて下部案内壁６４上に載る球Ｂを下皿（図示しない）へ排出する下部球出口３０Ｂが設けられている。下部案内壁６４の上面６４ａは、下部球出口３０Ｂに向かって下方に傾斜する斜面に形成されている。
【００４５】
また図７に示すように、前記合流通路５７に連通する球抜通路６８の下端部には球抜案内壁６５が形成されている。また図３に示すように、前側のケース半体２２には球抜通路６８を流下して球抜案内壁６５上に載る球Ｂを機外へ排出する球抜口２２Ａが設けられている。球抜案内壁６５の上面６５ａは、球抜口２２Ａに向かって下方に傾斜する斜面に形成されている。
【００４６】
次に、図２３に示す制御回路のブロック図を参照して、パチンコ機１（図１参照）によるパチンコ遊技を実現するメイン制御基板１００と、賞球や貸球の払出しを制御する枠制御基板８４との構成例を説明する。メイン制御基板１００および枠制御基板８４は、パチンコ機１（図１参照）の背面側に設けられている。メイン制御基板１００は、ＣＰＵ（プロセッサ）１１０を中心に構成されている。メイン制御基板１００は、遊技制御プログラムや所要のデータ（例えば大当たり値等）を格納するＲＯＭ１１２、各種の乱数や信号等のデータを格納するＲＡＭ１１４、各種の入力装置から送られた信号を受けてメイン制御基板１００内で処理可能なデータ形式に変換する入力処理回路１０２、ＣＰＵ１１０から送られた作動データを受けて各種の出力装置（例えばソレノイド１５４等）を作動させる出力処理回路１０４、ＣＰＵ１１０から送られた表示データを受けて各表示器（例えば、普通図柄表示器１５１）を制御する表示制御回路１０６、枠制御基板８４等に所要の信号を送る通信制御回路１１６等を有する。これらの構成要素は、いずれもバス１１８に互いに結合されている。
【００４７】
前記ＣＰＵ１１０は、ＲＯＭ１１２に格納された遊技制御プログラムを実行してパチンコ機１（図１参照）による遊技を実現する。ＲＯＭ１１２にはＥＰＲＯＭを用い、ＲＡＭ１１４にはＳＲＡＭを用いるが、他種のメモリを任意に用いてもよい。他種のメモリとしては、ＥＥＰＲＯＭ，ＤＲＡＭ，フラッシュメモリ等がある。
【００４８】
前記入力処理回路１０２は、例えば始動口センサ１４０、ゲートセンサ１４１、入賞センサ（Ｖゾーンセンサ等）１４２、賞球用検出器８１、貸球用検出器８２、払出数検出器８８、その他のセンサ（枠開放センサ等）などと接続されている。出力処理回路１０４は、例えばソレノイド１５４等と接続されている。表示制御回路１０６には、普通図柄表示器１５１が接続されている。前記ＣＰＵ１１０は、通信制御回路１１６を介して、枠制御基板８４に賞球払出信号を送信する。その他、必要に応じて、例えば、図柄制御回路、音制御回路、ランプ制御回路等（図示していない）に所要のデータを送信する。
【００４９】
前記枠制御基板８４は、ＣＰＵ２１０を中心に構成されている。枠制御基板８４は、球払出制御プログラム、表示制御プログラム等を格納するＲＯＭ２０２、未払い球数、入出力信号等を格納するＲＡＭ２０４、メイン制御基板１００から送信された信号（賞球払出信号等）を受信してＣＰＵ２１０やＲＡＭ２０４等に送る通信制御回路２０６、各種検出器８１，８２，８８やセンサ等に接続された入力処理回路２１２、液晶表示器等で構成された未払い球表示器（図示省略）の表示制御回路２１４、球払出用モータ８６の駆動回路２１６、貸球を払い出させる球貸キー２５３の操作によって球貸機２５０から送信される貸球払出情報を受信する球貸機通信回路２１１等を有する。これらの構成要素は、いずれもバス２０８に互いに結合されている。
【００５０】
次に、パチンコ機１（図１参照）が賞球の払出動作をしている場合の内部処理、例えば賞球の払出動作が正常に行なわれている場合について説明する。図２３において、まず、メイン制御基板１００のＣＰＵ１１０は、入賞センサ１４２によりパチンコ球の入賞を検出し、払出す賞球数（賞球払出情報）を算出する。その賞球払出情報は、ＲＡＭ１１４（記憶手段）に記憶される。一方、前記賞球払出情報を含む賞球払出指示信号は、通信制御回路１１６を介して枠制御基板８４側に送信される。
【００５１】
前記枠制御基板８４のＣＰＵ２１０は、メイン制御基板１００から通信制御回路２０６を介して受信した賞球払出情報を含む賞球払出指示信号を、ＲＡＭ２０４（記憶手段）に記憶させる。また、ＣＰＵ２１０は、ＲＡＭ２０４に記憶された賞球払出情報に基づいて、球払出用モータ８６の目標回転角度を算出する。そして、ＣＰＵ２１０は、算出した目標回転角度に基づいて、モータ駆動信号を駆動回路２１６を介して球払出用モータ８６に送信して、球払出用モータ８６を駆動する。球払出用モータ８６が駆動されると、球送出体７０（図８参照）が回転して、賞球の払出しが実行される。
【００５２】
例えば、球送出体７０を反時計回り（図８中、矢印Ｙ２参照）に６０°回転させると１個のパチンコ球が賞球用通路５０に誘導される場合、例えば、賞球数６個に相当する目標回転角度は反時計回りに３６０°である。このため、枠制御基板８４のＣＰＵ２１０は、球送出体７０が反時計方向に３６０°回転するように、球払出用モータ８６（図５参照）に駆動信号を出力する。また、球送出体７０の回転中には、払出数検出器８８（図５参照）が位置検出部材８７の被検出部８７ａを検出して、球送出体７０の払出数の確認をする。さらに、球送出体７０は各払出しの最終球（上記例では６個目）を払出した後に停止するが、直接的には払出数検出器８８（図５参照）が位置検出部材８７の最終球に対応する被検出部８７ａを検出したときに停止する。
【００５３】
前記賞球用検出器８１は、実際に賞球された数（賞球用通路５０に誘導されたパチンコ球の数）を計数して、その計数情報を枠制御基板８４のＣＰＵ２１０に入力処理回路２１２を介して送信する。ＣＰＵ２１０は、ＲＡＭ２０４に記憶されている賞球払出情報から計数情報を減算して、賞球払出情報を更新する。賞球払出情報が「０（ゼロ）」になっていなければ、所定の時間毎に再び上記動作を繰り返し、賞球払出情報が「０」になるまで実行する。なお、賞球用検出器８１の計数情報を用いた上記内部処理の説明は一例であり、他の処理方法でもよい。例えば、賞球払出情報の合計賞球数と賞球用検出器８１で計数される合計の計数情報が、一致するまで賞球を実行するようにしてもよい。また、賞球用検出器８１は、実際に賞球された数を計数して、その計数情報をメイン制御基板１００のＣＰＵ１１０に入力処理回路１０２を介して送信する。ＣＰＵ１１０は、賞球用検出器８１から送信された計数情報を、ＲＡＭ１１４に記憶されている賞球払出情報の合計から減算して過不足を確認する。これにより、賞球制御が正しく行われているか否かモニターする。このように、計数情報をフィードバックすることにより、払出す賞球数が確実に計数される。
【００５４】
また、貸球の場合は、例えば、パチンコ機１に設置された球貸機２５０が貸球数を含む情報（貸球払出情報）を枠制御基板８４に送信する。枠制御基板８４のＣＰＵ２１０は、貸球払出情報を球貸機通信回路２１１を介して受信する。そして、貸球払出情報は、ＲＡＭ２０４に記憶される。これ以降の処理については、前述の賞球の場合と同様である。
【００５５】
次に、前記枠制御基板８４のＣＰＵ２１０（図２３参照）の処理に係るフローチャートを示した図２４を参照して、球の払出しに関連する動作を説明する。なお、ＣＰＵ２１０が本明細書でいう「球払出制御手段」に相当する。ステップＳ１１において、賞球又か貸球の払出し中か否かが判別される。払出し中であることが判別されたならば、「Ｙ（Ｙｅｓ）」となり、本処理を終了する。また、払出し中でないことが判別されたならば、「Ｎ（Ｎｏ）」となり、ステップＳ１２に進む。
【００５６】
ステップＳ１２において、賞球の払出しか否かが判別される。賞球の払出しであることが判別されたならば、「Ｙ」となり、ステップＳ１３で球払出用モータ８６（図３及び図５参照）を反時計方向回転にセットした後、ステップＳ１５に進む。また、賞球の払出しでないことが判別されたならば、「Ｎ」となり、貸球の払出しとしてステップＳ１４で、球払出用モータ８６（図３及び図５参照）を時計方向回転にセットした後、ステップＳ１５に進む。
【００５７】
ステップＳ１５では、球払出用モータ８６（図３及び図５参照）を回転した後、ステップＳ１６に進む。ステップＳ１６では、払出数検出器８８（図５参照）が位置検出部材８７の被検出部８７ａ（図２１参照）を検出したか否かが判別される。被検出部８７ａが検出されてないことが判別されたならば、「Ｎ」となり、ステップＳ１５に戻って回転を続ける。また、被検出部８７ａが検出されたことが判別されたならば、「Ｙ」となり、ステップＳ１７で払出数を「１」ずつカウントアップした後、ステップＳ１８に進む。
【００５８】
ステップＳ１８では、所定の払出数に達したか否かが判別される。所定の払出数に達してないことが判別されたならば、「Ｎ」となり、ステップＳ１５に戻って回転を続ける。また、所定の払出数に達したことが判別されたならば、「Ｙ」となり、ステップＳ１９で球払出用モータ８６（図３及び図５参照）の回転を停止して本処理を終了する。このとき、球払出用モータ８６は、球送出体７０のいずれかの球受部７２、７６が上死点に位置したところでその回転を停止する。なお上記の処理は、短時間（例えば、４ｍｓ毎）に何度も繰り返し行われる。
【００５９】
上記した処理によって、球送出体７０（図８参照）が一方向に回転中（例えば、賞球払出しのために反時計方向に回転中）に、逆方向の回転を要求する信号（例えば、貸球払出信号）があっても、その球の払出し（例えば、１５個の賞球の払出し）が終了するまでは、逆転することなく、回転を継続する。そして、最後に払出す球（１５個目）が載った球受部（７２又は７６）の次の球受部（７６又は７２）が上死点に到達したところで、球送出体７０の回転を停止する。この後であれば、球払出制御手段（ＣＰＵ２１０）が球送出体７０の回転方向を逆方向（貸球の払出方向）にして所定数の払出しを開始するのを許容する。すなわち、回転中の球送出体７０は、かならず最終球の放出後の次の球受部（７２又は７６）が上死点に到達したときに停止される。したがって、正回転の払出しでも、逆回転の払出しでも、いずれかの球受部７２，７６が上死点にある位置からのみ、回転が開始されるように制御される。これによって、球送出体７０の隣合う球受部７２，７６の中間部分が上死点で停止したり、その位置から逆転しないように制御する。
【００６０】
上記したパチンコ機１（図１参照）において、その前側（図１において紙面裏側）に配設されている球貸機２５０（図２３参照）が作動されると、その貸球機から貸球数に対応する数の信号が枠制御基板８４（図３及び図２３参照）に出力される。これに基づいて、その枠制御基板８４から出力される払出信号によって、前にも述べたように、球払出装置２０（図３参照）の球払出用モータ８６が図３において時計方向に回転制御される。このとき、通路切換部材９０は、図８に実線９０で示すように、払出用通路６０を開いて球抜通路６８を閉じている。
【００６１】
すると、球送出体７０が図８において時計方向（図中、矢印Ｙ１参照）にかつ貸球数に対応する回転角度をもって回転される。これにより、球送出体７０における両スプロケット部７１，７５の各球受部７２，７６が、上部球通路４０から供給される球Ｂを受けた後、その球Ｂを貸球用通路５３に振分けて放出する。
【００６２】
詳しく述べると、いま、図８に示すように、球送出体７０が停止状態にあるとすると、球送出体７０における後側のスプロケット部７５の上死点に位置する球受部７６（説明の都合上、符号（Ａ）を付記する）に、上部球通路４０から上部球供給口４０ｂ及び球振分け室４５の下部球供給口４５ａを通った球Ｂが受けられている。
【００６３】
これより、球送出体７０が図８において時計方向（図中、矢印Ｙ１参照）に１ピッチ分回転される。なお、ここでいう１ピッチとは、両スプロケット部７１，７５の球受部７２，７６を合わせた１ピッチであり、本実施の形態における６個の場合は６０°となる。すると、図１１に示す状態となる。この状態では、次の球受部すなわち図８において上死点にあった後側のスプロケット部７５の球受部７６（Ａ）の左隣に位置する前側のスプロケット部７１の球受部７２（説明の都合上、符号（Ｂ）を付記する）が上死点に達する。これにより、その球受部７２（Ｂ）に対し球振分け室４５の下部球供給口４５ａを通った次の球Ｂが落下して受けられる。
【００６４】
しかして、前側のスプロケット部７１の球受部７２（Ｂ）が上死点に達するまでには、前記後側のスプロケット部７５の球受部７６（Ａ）の回転方向の前方の傾斜壁面７６ａが半径方向外方に向かって下る斜面を形成するため、その球受部７６（Ａ）に受けられていた球Ｂは、傾斜壁面７６ａを転がって貸球用通路５３に放出され落下する。
【００６５】
さらに、球送出体７０が図１１において時計方向（図中、矢印Ｙ１参照）に１ピッチ分回転されると、図１２に示す状態となる。この状態では、次の球受部すなわち図１１において上死点にあった前側のスプロケット部７１の球受部７２（Ｂ）の左隣に位置する後側のスプロケット部７５の球受部７６（説明の都合上、符号（Ｃ）を付記する）が上死点に達する。これにより、その球受部７６（Ｃ）に対し球振分け室４５の下部球供給口４５ａを通った次の球Ｂが落下して受けられる。しかして、後側のスプロケット部７５の球受部７６（Ｃ）が上死点に達するまでには、前記前側のスプロケット部７１の球受部７２（Ｂ）の回転方向の前方（図１２において右側）の傾斜壁面７２ａが半径方向外方に向かって下る斜面を形成するため、その球受部７２（Ｂ）に受けられていた球Ｂは、その傾斜壁面７２ａを転がって貸球用通路５３に放出され落下する。
【００６６】
上記の繰り返しによって、順次、貸球用通路５３に放出され落下する球Ｂは、合流通路５７を通って払出用通路６０に払出される。なお、貸球用通路５３を落下する球Ｂは、貸球用検出器８２によって検出される。その貸球用検出器８２による球Ｂの検出信号は、前にも述べたように、前記球貸機２５０（図２３参照）と前記枠制御基板８４（図３及び図２３参照）に出力される。そして、貸球数に対応する数の球Ｂに対し、貸球用検出器８２（図８参照）において検出される検出個数が不足する場合には、その不足に相当する信号が球払出用モータ８６に出力されることによって、球送出体７０が不足数に対応する分だけ図８において矢印Ｙ１方向に回転し、所要の数の球Ｂが不足なく払出される。
【００６７】
また、払出用通路６０に払出された球Ｂは、図７に示される分岐通路６２に落下し、払出用通路６０の直下に位置する上部案内壁６３上から上部球出口３０Ａ（図３参照）を転がり、最終的に上皿（図示しない）に払出される。
【００６８】
また、遊技盤（図示しない）の遊技領域に発射された球Ｂが入賞口に流入すると、その球Ｂが入賞口の検出器（図示しない）によって検出される。これに基づいて、その検出器から出力される信号がメイン制御基板１００（図２３参照）に出力されると、そのメイン制御基板１００（図２３参照）から出力される賞球数に対応する数の信号が枠制御基板８４（図３及び図２３参照）に出力される。さらに、その枠制御基板８４から出力される払出信号によって球払出装置２０（図３参照）の球払出用モータ８６が、貸球の払出時の回転方向と逆方向、すなわち図３において反時計方向に回転制御される。
【００６９】
すると、球送出体７０が図８において反時計方向（図中、矢印Ｙ２参照）にかつ賞球数に対応する回転角度をもって回転される。これにより、球送出体７０における両スプロケット部７１，７５の各球受部７２，７６が、上部球通路４０から供給される球Ｂを受けた後、その球Ｂを賞球用通路５０に振分けて放出する。
【００７０】
詳しく述べると、いま、図８に示すように、球送出体７０が停止状態にあるとすると、前に述べたように、球送出体７０における後側のスプロケット部７５の上死点に位置する球受部７６（Ａ）に、上部球通路４０から上部球供給口４０ｂ及び振分け室４５の下部球供給口４５ａを通った球Ｂが受けられている。
【００７１】
これより、球送出体７０が図８において反時計方向（図中、矢印Ｙ２参照）に１ピッチ分回転される。すると、図９に示す状態となる。この状態では、次の球受部すなわち図８において上死点にあった後側のスプロケット部７５の球受部７６（Ａ）の右隣に位置する前側のスプロケット部７１の球受部７２（説明の都合上、符号（ｂ）を付記する）が上死点に達する。これにより、その球受部７２（ｂ）に対し球振分け室４５の下部球供給口４５ａを通った次の球Ｂが落下して受けられる。
【００７２】
しかして、前側のスプロケット部７１の球受部７２（ｂ）が上死点に達するまでには、前記後側のスプロケット部７５の球受部７６（Ａ）の回転方向の前方の傾斜壁面７６ａが半径方向外方に向かって下る斜面を形成するため、その球受部７６（Ａ）に受けられていた球Ｂは、傾斜壁面７６ａを転がって賞球用通路５０に放出され落下する。
【００７３】
さらに、球送出体７０が図９において反時計方向（図中、矢印Ｙ２参照）に１ピッチ分回転されると、図１０に示す状態となる。この状態では、次の球受部すなわち図９において上死点にあった前側のスプロケット部７１の球受部７２（ｂ）の左隣に位置する後側のスプロケット部７５の球受部７６（説明の都合上、符号（ｃ）を付記する）が上死点に達する。これにより、その球受部７６（ｃ）に対し球振分け室４５の下部球供給口４５ａを通った次の球Ｂが落下して受けられる。しかして、後側のスプロケット部７５の球受部７６（ｃ）が上死点に達するまでには、前記前側のスプロケット部７１の球受部７２（ｂ）の回転方向の前方（図９において左側）の傾斜壁面７２ａが半径方向外方に向かって下る斜面を形成するため、その球受部７２（ｂ）に受けられていた球Ｂは、その傾斜壁面７２ａを転がって賞球用通路５０に放出され落下する。
【００７４】
上記の繰り返しによって、順次、賞球用通路５０に放出され落下する球Ｂは、合流通路５７を通って払出用通路６０に払出される。なお、賞球用通路５０を落下する球Ｂは、賞球用検出器８１によって検出される。その賞球用検出器８１による球Ｂの検出信号は、前にも述べたように、前記メイン制御基板１００（図２３参照）と前記枠制御基板８４（図３及び図２３参照）に出力される。そして、賞球数に対応する数の球Ｂに対し、賞球用検出器８１（図８参照）において検出される検出個数が不足する場合には、その不足に相当する信号が球払出用モータ８６に出力されることによって、球送出体７０が不足数に対応する分だけ図８において矢印Ｙ２方向に回転し、所要の数の球Ｂが不足なく払出される。
【００７５】
ところで、球送出体７０（図８参照）の矢印Ｙ１方向又は矢印Ｙ２方向への回転時において、各球受部７２，７６に受けた球Ｂが当該球受部に適正に受けられていない場合、下部球供給口４５ａにおける一方（すなわち、球送出体７０の回転方向前方）の第２の撓み片４８の通路側壁４７の下側に球Ｂ（詳しくは、球Ｂの一部）が入り込むと「球噛み」を発生することがある。
【００７６】
このような場合には、第２の撓み片４８の通路側壁４７の下側に入り込んで噛み込まれる球Ｂが、球送出体７０の回転にともなって下部球供給口４５ａの上流方向へ押上げられる。これにともない、第２の撓み片４８の通路側壁４７が、その第２の撓み片４８の弾性を利用して下部球供給口４５ａの上流方向へ一時的に変位（図８中、二点鎖線４８参照）したのち、その第２の撓み片４８の弾性復元により復帰する。これにより、球噛みを発生する球Ｂが球送出体７０の球受部７２，７６に押し戻されて適正に受けられることにより、球噛みの発生が防止される。
【００７７】
これとともに、第２の撓み片４８の上流側に位置する第１の撓み片４２の内側に位置しかつ球圧が加わった状態で待機している数個（例えば３〜５個）の球Ｂが、前記球噛みを発生する球Ｂからの反力を受けると、球送出体７０の回転にともなって上部球通路４０の外側方向へ交互に押し退けられる。これにともない、両第１の撓み片４２が、その弾性を利用して上部球通路４０の外側方向へ一時的に変位（図８中、二点鎖線４２参照）して、前記数個の球Ｂが横ずれする。これにより、上方に球圧が加わった状態で待機している多くの球が存在するにもかかわらず、球噛みを発生する球Ｂの上方への移動が可能となる。その結果、球Ｂは球噛み状態を回避しつつ球送出体７０の球受部７２，７６の正位置に押し戻され適正に受けられる。すなわち、球噛みの発生が防止される。なお、両第１の撓み片４２の復帰により、待機している球Ｂのずれが修正される。上記したように、第１の撓み片４２と第２の撓み片４８との協働によって、球噛みの発生が効果的に防止される。
【００７８】
また、払出用通路６０（図７参照）に払出された球Ｂは、分岐通路６２に落下し、払出用通路６０の直下に位置する上部案内壁６３上から上部球出口３０Ａ（図３参照）を転がり、上皿（図示しない）に払出される。
【００７９】
また、上皿（図示しない）が貸球や賞球の球Ｂで満杯状態となり、その球Ｂが上部球出口３０Ａ（図３参照）に留まることがある。この状態では、払出用通路６０に払出された球Ｂが分岐通路６２（図７参照）の上部案内壁６３に当たり側方へ転がった後、分岐通路６２の底部に位置する下部案内壁６４上から下部球出口３０Ｂ（図３参照）を転がり、下皿（図示しない）に払出される。
【００８０】
また、球タンク１６及びタンクレール１７（図１参照）並びに球払出装置２０の上部球通路４０（図７参照）にある球Ｂを機外に排出する場合には、球抜用スイッチ（図示しない）をオンする。すると、その球抜用スイッチの信号が前記メイン制御基板１００（図２３参照）から枠制御基板８４（図３及び図２３参照）に出力される。これに基づいて、枠制御基板８４（図３及び図２３参照）から出力される信号によって、通路切換部材９０が払出用通路６０を閉じて球抜通路６８を開いた状態（図８の二点鎖線９０参照）に切換えられるとともに、球払出用モータ８６（図３参照）がいずれかの方向へ回転制御される。
【００８１】
これによって、球タンク１６及びタンクレール１７（図１参照）並びに球払出装置２０の上部球通路４０（図７参照）にある球Ｂが、賞球用通路５０又は払出用通路６０に払出され、合流通路５７を通じて球抜通路６８（図７参照）に流下する。球抜通路６８に払出された球Ｂは、球抜案内壁６５上から球抜口２２Ａ（図３参照）を転がり、機外に排出される。
【００８２】
上記したパチンコ機１によると、球払出装置２０（図７参照）は、球送出体７０の正逆回転によって、上死点においてスプロケット部７１，７５の各球受部７２，７６（図８参照）に受けた球Ｂを次の球受部７２又は７６が上死点に達するまでに放出する。したがって、従来例と異なり、球送出体７０の逆転時において、略上死点における球受部以外の各球受部７２，７６に残される残り球Ｂがなく、その残り球Ｂの存在により球送出体７０の回転が阻まれることがなくなる。このため、球送出体７０の各球受部７２，７６が上死点において球Ｂを受ける形態でありながら球送出体７０を逆転させて球Ｂを払出すことができる。
【００８３】
また、前記球払出装置２０には、球送出体７０の球受部７２，７６に球Ｂを誘導する上部球供給口４０ｂを形成しかつ外側方向へ撓み変形可能な第1の撓み片４２が設けられ、また、球送出体７０の球受部７２，７６に球Ｂを誘導する下部球供給口４５ａを形成しかつ上流方向へ撓み変形可能な第２の撓み片４８が設けられている。したがって、仮に、球送出体７０の回転にともない略上死点における球受部７２，７６と下部球供給口４５ａとの間において球噛みが発生する場合がある。この場合には、下部球供給口４５ａ内の球Ｂによって第２の撓み片４８が上流方向へ撓み変形することによって球噛み状態が回避され、続いてその撓み片４８が弾性復元することによって前記球Ｂが押し戻されることによって球噛みの発生が防止される。また、上部球供給口４０ｂ内の球Ｂによって第１の撓み片４２が外側方向へ撓み変形することによって球噛み状態が回避され、続いてその撓み片４２が弾性復元することによって前記球Ｂが押し戻されることによって球噛みの発生が防止される。このため、より確実に球送出体を回転させて球を払出すことができる。
【００８４】
また、球送出体７０（図８参照）の各球受部７２，７６の停止位置に対応させて位置検出部材８７に各被検出部８７ａを形成し、また、球払出制御手段（枠制御基板８４のＣＰＵ２１０）が最終球の載った球受部７２又は７６に対応する被検出部８７ａが払出数検出器８８（図５参照）で検出された後（すなわち、最終球が球受部７２又は７６に載った後）、払出数検出器８８が次に被検出部８７ａを検出するまでは、球送出体７０の回転を継続し、被検出部８７ａが検出されたときに球送出体７０を回転停止位置として停止させ、その回転停止位置においてのみ球送出体７０の逆転を許容するように制御する。したがって、前にも述べたように、最終球の載った球受部（７２又は７６）の次の球受部（７６又は７２）が上死点に到達して対応する被検出部８７ａが検出されるまでには最終球が放出される。このため、球受部７２又は７６に最終球が載ったまま、球送出体７０が逆転することがない。それゆえ、球送出体７０の逆転時において、球受部７２又は７６に残される残り球がなくなる。よって、球受部７２又は７６に載った残り球と待機球とが擦れ合って球送出体７０の回転が阻まれるすなわち停止されることがない。
【００８５】
また、球送出体７０の回転によって次の球受部７２又は７６（図８参照）が上死点に達するまでに、その先の球受部７２又は７６の各傾斜壁面７２ａ，７６ａが球Ｂを放出可能な斜面を形成する（図９〜図１２参照）。このため、球受部７２又は７６に受けた球Ｂが傾斜壁面７２ａ，７６ａ上を転がることにより、球受部７２，７６から球Ｂを容易に放出させることができる。
【００８６】
また、各球受部７２，７６の傾斜壁面７２ａ，７６ａ（図１８参照）が半径方向外方に向かって下る斜面を形成するため、球送出体７０の回転による遠心力を利用して、各球受部７２，７６から球Ｂを容易に放出させることができる。
【００８７】
また、複数列の球通路（上部球通路４０が相当する）について、１つの球送出体７０の回転により、隣合う列の球受部７２又は７６（図１７参照）から交互に１球ずつ球Ｂを払出すができるとともに、単一列の場合に比べ、一回転当たりの払出数を増加させることができる。
【００８８】
また、球送出体７０の各球受部７２，７６の個数を少なくし（例えば１列の球通路につき３個）とし、さらに各球受部７２，７６を浅く形成している。これにより、球送出体７０が１ピッチ分以上回転するまでにおいて早い時期に各球受部７２，７６の球Ｂを放出することができる。なお、この実施の形態では、下部球供給口４５ａから各球受部７２，７６に受けられる球Ｂには、上部球通路４０に待機している球Ｂの球圧が常に作用しているため、浅い球受部でも球Ｂをこぼすことなく受けることができる。
【００８９】
［実施の形態２］
この発明の実施の形態２を図面にしたがって説明する。実施の形態２は、実施の形態１の球送出体７０を変更したものであるからその変更部分について詳述し、重複する説明は省略する。図２５に球送出体７０の斜視図、図２６に同じく正面図が示されている。図２５及び図２６に示すように、この実施の形態の球送出体７０は、実施の形態１における後側のスプロケット部７５が排除されたもので、１列の球通路に対応するものである。
【００９０】
このように構成された実施の形態２の球送出体７０によると、実施の形態１における２列の上部球通路４０（図３参照）に対応する球送出体７０（図１７〜図２０参照）に比べ、後側のスプロケット部７１における球受部７２の１ピッチが２倍の角度すなわち１２０°になる。したがって、上死点において球受部７２に受けた球Ｂを、球送出体７０の回転によって次の球受部７２が上死点に達するまで（１２０°回転するまで）に放出すればよいため、球受部７２の形状の自由度を増大することができる。
【００９１】
【発明の効果】
以上述べたように、この発明によれば、球送出体の最上部の位置における球受部以外の球受部に残される残り球がなく、その残り球の存在により球送出体の回転が阻まれることがないため、球送出体の球受部が最上部の位置において球を受ける形態でありながら球送出体を回転させて球を払出すことができる。
【図面の簡単な説明】
【図１】  この発明の実施の形態１に係るパチンコ機の背面図である。
【図２】  球払出装置の背面図である。
【図３】  図２のＩＩＩ−ＩＩＩ線断面図である。
【図４】  図２のＩＶ−ＩＶ線断面図である。
【図５】  図２のＶ−Ｖ線断面図である。
【図６】  図２のＶＩ−ＶＩ線断面図である。
【図７】  図３のＶＩＩ−ＶＩＩ線断面図である。
【図８】  図７の要部拡大図である。
【図９】  １個目の賞球払出し状態を示す要部断面図である。
【図１０】  ２個目の賞球払出し状態を示す要部断面図である。
【図１１】  １個目の貸球払出し状態を示す要部断面図である。
【図１２】  ２個目の貸球払出し状態を示す要部断面図である。
【図１３】  前側のケース半体の要部内面図である。
【図１４】  図１３のＸＩＶ−ＸＩＶ線断面図である。
【図１５】  後側のケース半体の要部内面図である。
【図１６】  図１５のＸＶＩ−ＸＶＩ線断面図である。
【図１７】  球送出体を示す斜視図である。
【図１８】  球送出体の正面図である。
【図１９】  球送出体の側断面図である。
【図２０】  球送出体の背面図である。
【図２１】  払出数検出器と位置検出部材の被検出部との関係を示す説明図である。
【図２２】  １個目の賞球払出し状態における払出数検出器と位置検出部材の被検出部との関係を示す説明図である。
【図２３】  制御回路のブロック図である。
【図２４】  枠制御基板のＣＰＵの処理を示すフローチャートである。
【図２５】  この発明の実施の形態２に係る球送出体を示す斜視図である。
【図２６】  球送出体の正面図である。
【符号の説明】
１  パチンコ機（遊技機）
２０  球払出装置
４０  上部球通路（球通路）
７０  球送出体
７２，７６  球受部
７２ａ，７６ａ  傾斜壁面
３７０  球送出体
３７２  球受部
３７２ａ  傾斜壁面
Ｂ  球
【図１】
0003759407.tif 000002
【図２】
0003759407.tif 000003
【図３】
0003759407.tif 000004
【図４】
0003759407.tif 000005
【図５】
0003759407.tif 000006
【図６】
0003759407.tif 000007
【図７】
0003759407.tif 000008
【図８】
0003759407.tif 000009
【図９】
0003759407.tif 000010
【図１０】
0003759407.tif 000011
【図１１】
0003759407.tif 000012
【図１２】
0003759407.tif 000013
【図１３】
0003759407.tif 000014
【図１４】
0003759407.tif 000015
【図１５】
0003759407.tif 000016
【図１６】
0003759407.tif 000017
【図１７】
0003759407.tif 000018
【図１８】
0003759407.tif 000019
【図１９】
0003759407.tif 000020
【図２０】
0003759407.tif 000021
【図２１】
0003759407.tif 000022
【図２２】
0003759407.tif 000023
【図２３】
0003759407.tif 000024
【図２４】
0003759407.tif 000025
【図２５】
0003759407.tif 000026
【図２６】
0003759407.tif 000027